(57)【要約】【課題】ロックカバーの遮断器のハンドルへの装着がやりやすく、かつロックカバーだけでハンドル十分にロックすることのできる回路遮断器のハンドルロック装置を提供する。【解決手段】可撓性を有する材料により、間隔をおいて平行する１対の腕部材と、この１対の腕部材を中間部において連結する連結部材とによりＨ字形に形成したハンドルロックカバーを設け、このロックカバーの先端側の腕部材の対向する内側面にそれぞれ前記ハンドルの摘み部の肉ぬすみ穴と係合する突起を設けるとともに、ロックカバーの基端側腕部材の端部に前記カバーの開口部に嵌り込み開口部に係合する係合部を設けてなり、ロックカバーの基端側の腕部材の端部を内側に押圧して先端側の腕部材の先端部の両腕部材間の間隔を広げ、回路遮断器のハンドルの摘み部に両側から挟み込み、基端部側の腕部材をカバーの開口部に係合してハンドルを開路位置または閉路位置にロックする。【選択図】図５
2009301993.tif 000002
【特許請求の範囲】
【請求項１】
回路遮断器の開閉機構を収納するケースと、このケースを覆うカバーと、このカバーの開口部を通して突出した先端部に回動する面と平行な側面に肉ぬすみ穴の形成された摘み部を有し、回動により前記開閉機構を開閉操作するハンドルとを備えた回路遮断器において、可撓性を有する材料により、間隔をおいて平行する１対の腕部材と、この１対の腕部材を中間部において連結する連結部材とによりＨ字形に一体成形してなる、ロックカバーを設け、このロックカバーの先端部側腕部材の対向する内側面にそれぞれ前記ハンドルの摘み部の肉ぬすみ穴と係合する突起を設けるとともに、前記ロックカバーの基端側腕部材の端部に前記カバーの開口部の端縁に係合する係合部を設けてなり、前記ロックカバーの基端部側腕部材の端部を内側方向に押圧して先端部側の腕部材の端部間の間隔を広げ、前記回路遮断器のハンドルの摘み部を両側から挟み込むことにより、前記ロックカバーの先端部側の腕部材に設けた突起を前記摘み部の肉ぬすみ穴に係合させて前記ロックカバーを前記ハンドルの摘み部に取り付け、基端部側の腕部材の係合部を前記カバーの開口部の端縁に係合することにより回路遮断器のハンドルを開路位置または閉路位置にロックすることを特徴する回路遮断器のハンドルロック装置。
【請求項２】
請求項１に記載のものにおいて、前記ロックカバーの基端部側腕部材の端部の外側面に係合突起を設け、前記カバーの開口部の内壁面に係合凹所を設け、ロックカバーを前記回路遮断器のハンドルの摘み部に取り付けたとき前記ロックカバーの基端側の腕部材の係合突起を前記カバーの開口部の係合凹所に係合して係止するようにすることを特徴する回路遮断器のハンドルロック装置。
【請求項３】
請求項１または２に記載のものにおいて、前記ロックカバーの外側から被嵌可能に構成されたＵ字形のロックホルダを設け、このロックホルダを前記ロックカバーに被嵌した状態でロックカバーおよびロックホルダに設けた両方の鍵穴に南京錠のつるを挿通して施錠を行うことを特徴する回路遮断器のハンドルロック装置。
【発明の詳細な説明】
【技術分野】
【０００１】
この発明は、配線用遮断器や漏電遮断器などの回路遮断器の操作用のハンドルを開路状態および閉路状態にロックするためのハンドルロック装置に関する。
【背景技術】
【０００２】
回路遮断器のハンドルロック装置は、回路遮断器が不用意に開閉操作されるのを防止するために、操作用のハンドルを閉路（オン）位置または開路（オフ）位置にロック（固定）し、操作できないようにするものである。
【０００３】
図１３ないし図１９に特許文献１に示された従来のハンドルロック装置の構成を示す。
【０００４】
図１３は、従来のハンドルロック装置のハンドルロックカバーの構成を示す図であり、（Ａ）は正面図、（Ｂ）は  図１３（Ａ）のＡ矢視の側面図、（Ｃ）は図１３（Ａ）のＢ−Ｂ線断面図である。図１３に示すように、ロックカバー２０は平行する１対の腕部２０Ａ，２０Ｂを備え、下端で連結され、Ｕ字状に形成されている。一方の腕部２０Ａの外側（左面）には上下方向に長く設けられたガイド２１が突設されるとともに、このガイド２１の上部に紙面に垂直な凹み穴２２が形成されている。また、腕部２０Ａの下部の両側には、図１３（Ｃ）に示されるような鉤溝２３が形成されている。さらに、腕部２０Ａ，２０Ｂの外側面にはそれぞれＬ字状の嵌合部２６が設けられるとともに、腕部２０Ａ，２０Ｂの双方の内側面には、図１３（Ｃ）に示されるような凸部２５と段差２４とがそれぞれ設けられている。図１３（Ａ）の右側の嵌合部２６と腕部２０Ｂとの双方を貫通する鍵穴２７が、図１３（Ｂ）に示すように設けられている。
【０００５】
ロックカバー２０は、ポリアミド系樹脂やＡＢＳ樹脂など可撓性を有する材質から形成され、腕部２０Ａ，２０Ｂの開口された上端側を拡げることができる。鉤溝２３は、ハンドルをロックさせたときの表示用として表示札の紐などを括るためのものである。また、鍵穴２７は、南京錠のつるを通して施錠するためのものである。嵌合部２６の役目は後述するが、ロックホルダを嵌挿させたときにその腕部の端部を収めるものである。凸部２５と段差２４との役目も後述するが、摘み部に嵌合する役目を担う。
【０００６】
図１４に示すように回路遮断器においては、内部の開閉機構を開閉操作する操作ハンドルの先端に連繋された摘み部９が、回路遮断器のケース５の上部を覆うカバー４の開口部４Ａから、突出されている。回路遮断器１は、内部にその一方端を支点にして回動させることにより、開閉機構を開閉する図示しない開閉レバーを備え、この開閉レバーの反支点側の端部に、先端に前記の摘み部９の連繋された操作ハンドルが結合されている。このため、摘み部９を手動で上または下へ傾動することによって開閉機構を手動で開閉することができる。また、摘み部９には、図１４において左右方向にくり抜かれた肉ぬすみ部９Ａが形成されている。この肉ぬすみ部９Ａは、ハンドルを樹脂成形するときに摘み部９を変形防止および、必要な樹脂量の減量のために設けられるものである。
【０００７】
図１４に示すように摘み部１９が上方に傾動されると、回路遮断器は閉路（オン）状態となる。この状態で、回路遮断器のハンドルをロックするときは、ロックカバー２０の腕部２０Ａ，２０Ｂの開口した上端部を上にしてその先端を僅かに開き、点線の矢印２８で示すように腕部２０Ａ，２０Ｂにより摘み部９を両側から挟みこみ、肉ぬすみ部９Ａに両腕部の内側に設けた凸部２５を嵌合させる。段差２４は、摘み部９の外形に沿うように嵌め込まれる。
【０００８】
これにより図１５に示すように、ロックカバー２０の腕部が摘み部９に係合されるとともに、腕部２０Ａ，２０Ｂの突起部３０が回路遮断器のカバーの開口部４Ａの下部の縁部で抑えられるので、摘み部９は固定され、傾動することができなくなり、操作ハンドルをロックすることができる。
【０００９】
図１６に示すように、摘み部９を下方へ傾動して回路遮断器を開路（オフ）状態にしてハンドルをロックする場合は、ロックカバー２０を図１４の状態から反転して、腕部２０Ａ，２０Ｂの開口した側の端部を下に向けるとともにその開口端部の間隙を僅かに開き、点線の矢印２９で示すように、腕部２０Ａ，２０Ｂにより摘み部９を両側から挟みこみ摘み部９の肉ぬすみ穴９Ａに腕部の凸部２５を嵌合させる。そしてロックカバー２０の上端をカバーの開口部４Ａ内へ嵌入する。
【００１０】
これにより、図１７に示すようにロックカバー２０の腕部が摘み部９に係合されるとともに、腕部２０Ａ，２０Ｂの突起部３０が回路遮断器のカバーの開口部４Ａの下部の縁部で抑えられるので、この状態で摘み部９を上方に持ち上げようとしても、摘み部９は固定され決して傾動することができない。
【００１１】
図１３（Ｃ）に戻り、凸部２５が複数あるのは、開路状態や閉路状態でハンドルの摘み部９が上下方向のいずれの方向を向いても、その肉ぬすみ部に凸部２５が丁度嵌合するようにしたためである。また、下部の段差２４がヘの字になっているのも同様な理由による。
【００１２】
このようにロックカバー２０の係合された回路遮断器の操作ハンドルの摘み部９を施錠する場合は、図１８および図１９に示すように、ロックカバー２０にロックホルダ３１を被嵌する。
【００１３】
図１８は、操作ハンドルの摘み部９が上方に傾動された回路遮断器の閉路（オン）状態での施錠過程を示すもので、図１９は、操作ハンドルの摘み部９が下方に傾動された回路遮断器の開路（オフ）状態での施錠過程を示すものである。
【００１４】
閉路状態での施錠は、図１８（Ａ）に示すように、先ず、摘み部９に係合されたロックカバー２０に上方からロックホルダ３１を、ロックカバー２０の腕部２０Ｂのガイド２１とロックホルダ３１のスリット３４とが嵌合するように嵌め込む。そしてこのロックホルダ３１を、さらに下端が図１８（Ｂ）に示すようにロックカバー２０の嵌合部２６と嵌合されるまで押し込むことにより、ロックカバー２０を外側からロックホルダ３１により保持する。このロックホルダ３１の鍵穴３２とロックカバー２０の鍵穴２７の双方に跨って南京錠１０のつる１０Ａを挿通して施錠することにより、回路遮断器の摘み部９に係合されたロックカバー２０がロックホルダ３１を介して南京錠１０により施錠され操作ハンドルのロックを不用意に解除することができなくなる。
【００１５】
図１９は、回路遮断器の開路（オフ）状態での施錠過程を示すものであるが、図１９（Ａ）に示すようにロックホルダ３１を回路遮断器の摘み部１９に係合されたロックカバー２０の下方からはめ込むこと以外は、図１８の場合と同じであるので、詳細な説明は省略する。
【００１６】
このように、従来の回路遮断器のハンドルロック装置は、可撓性を有する材質よりなりＵ字状に形成されたロックカバーが設けられ、このロックカバーの両腕部内に回路遮断器の操作ハンドルの摘み部が嵌挿可能に形成され、ロックカバーの両腕部のそれぞれに凸部と突起部が設けられ、凸部は両腕部の内側に互いに向き合うようにして突設されるとともに前記摘み部の肉ぬすみ穴に嵌合可能に形成され、突起部は両腕部の付け根側に腕部の幅方向に突設されるとともに凸部を肉ぬすみ穴に嵌合させたときに前記開口部に嵌り込み開口部の縁部に当接するように形成される。ロックカバーを回路遮断器の摘み部に挟み込むだけで簡単にハンドルをロックすることができる。
【００１７】
また、かかる構成において、可撓性を有する材質よりなりＵ字状に形成されたロックホルダとつるを備えた南京錠とが設けられ、このロックホルダの両腕部内にロックカバーが嵌挿可能に形成され、ロックホルダの一方の腕部にスリットが設けられ、このスリットは腕部の付け根から端部まで形成されるとともにロックカバーの一方の腕部に設けられたガイドに嵌合可能であり、ロックカバーの他方の腕部およびロックホルダの他方の腕部にはそれぞれ鍵穴が貫通し、この鍵穴は前記南京錠のつるが貫通可能である。これによって、回路遮断器の摘み部に予め鍵穴がなくてもハンドルをロックすることができる。摘み部に鍵穴のない回路遮断器を使っていたユーザが、急に仕様変更するときにそのままですぐに対応することができるので、非常に便利となる。
【特許文献１】特開平０９−２７０２２４号公報
【発明の開示】
【発明が解決しようとする課題】
【００１８】
前記の従来のハンドルロック装置においては、Ｕ字形に形成されたロックカバーを回路遮断器の操作ハンドルの摘み部へ装着する際に、平行な腕部の先端を押し広げやすくするために、ロックカバーの可撓性が大きくなるように、樹脂で成形された腕部が極端に薄い肉厚に形成されている。このため、ロックカバーは十分な剛性および弾性強度を確保することができず、南京錠をかけない状態では、摘み部に装着されたロックカバーが僅かな外力が加わっただけでハンドル（摘み部）から簡単に外れてしまい、取扱い性、信頼性などに問題がある。また、ロックカバーのみでロックすることができない構造のため、ハンドルのロックを確実に行うためには、常にロックホルダと組合せ、かつ南京錠を掛ける必要があり、使いにくいという問題もある。
【００１９】
この発明は、このような従来装置における問題点を解消して、ロックカバーの遮断器のハンドルへの装着がやりやすく、かつ装着されたロックカバーが僅かな外力でハンドルから外れることのないようにロックカバーの剛性を高めることができ、ロックカバーだけでハンドルを十分にロックすることのできる回路遮断器のハンドルロック装置を提供することを課題とするものである。
【課題を解決するための手段】
【００２０】
前記の課題を解決するため、この発明は、回路遮断器の開閉機構を収納するケースと、このケースを覆うカバーと、このカバーの開口部を通して突出した先端部に回動する面と平行な側面に肉ぬすみ穴の形成された摘み部を有し、回動により前記開閉機構を開閉操作するハンドルとを備えた回路遮断器において、可撓性を有する材料により、間隔をおいて平行する１対の腕部材と、この１対の腕部材を中間部において連結する連結部材とによりＨ字形に一体成形してなる、ロックカバーを設け、このロックカバーの先端側の腕部材の対向する内側面にそれぞれ前記ハンドルの摘み部の肉ぬすみ穴と係合する突起を設けるとともに、前記ロックカバーの基端側の腕部材の端部に前記カバーの開口部の端縁に係合する係合部を設けてなり、前記ロックカバーの基端部側腕部材の端部を内側方向に押圧して先端部側の腕部材の端部間の間隔を広げ、前記回路遮断器のハンドルの摘み部を両側から挟み込むことにより、前記ロックカバーの先端部側の腕部材に設けた突起を前記摘み部の肉ぬすみ穴に係合させて前記ロックカバーを前記ハンドルの摘み部に取り付け、基端部側の腕部材の係合部を前記カバーの開口部の端縁に係合することにより回路遮断器のハンドルを開路位置または閉路位置にロックすることを特徴するものである。
【００２１】
この発明においては、前記ロックカバーの基端部側の腕部材の端部の外側面に係合突起を設け、前記カバーの開口部の内壁面に係合凹所を設け、ロックカバーを前記回路遮断器のハンドルの摘み部に取り付けたとき前記ロックカバーの基端側の腕部材の係合突起を前記カバーの開口部の係合凹所に係合して係止するようにすることができる。
【００２２】
さらにこの発明においては、前記ロックカバーの外側から被嵌可能に構成されたＵ字形のロックホルダを設け、このロックホルダを前記ロックカバーに被嵌した状態でロックカバーおよびロックホルダに設けた両方の鍵穴に南京錠のつるを挿通して施錠を行うことを可能とするものである
【発明の効果】
【００２３】
この発明によれば、開路遮断器のハンドルの摘み部と回路遮断器のカバーの開口部に係合してハンドルのロックを行うロックカバーが、平行する２本の腕部材を中間部で連結してＨ字形に形成されているので、可撓性材料で形成した腕部材の肉厚を厚くして剛性を高めても、先端部側の腕部材の間隔は、基端部側の腕部材の端部を押圧することにより連結部分を支点して比較的容易に広げることができるため、ロックカバーのハンドルへの装着が容易となる。かつ、ロックカバーの剛性を高めることより、ハンドルに装着した状態で多少の外力では外れにくくなり、信頼性を高めることができる。
【発明を実施するための最良の形態】
【００２４】
以下、この発明の実施の形態を図に示す実施例について説明する。
【００２５】
図１ないし図１２にこの発明の実施例による回路遮断器のハンドルロック装置の構成を示す。
【００２６】
図１は、この発明に使用するハンドルロックカバー（以下においてはロックカバーと称する）の構成を示すもので、（ａ）はその正面図、（ｂ）はその左側面図、（ｃ）は（ａ）におけるｃ−ｃ線の断面図、（ｄ）はその斜視図である。
【００２７】
この発明におけるロックカバー２は、間隔をおいて平行に配置された１対の腕部材２１Ａ，２１Ｂと、この１対の腕部材を中間で連結する連結部材２２とにより、Ｈ字形に可撓性の樹脂により一体成形されている。１対の腕部材２１Ａ，２１Ｂの連結部材２２より上部の先端部側腕部材２１−１Ａ，２１−１Ｂの対抗する内側面に、それぞれ後述する回路遮断器の操作用ハンドルの摘み部に係合される係合突起２３Ａ，２３Ｂが１対ずつ設けられている。先端部側腕部材２１−１Ａ，２１−１Ｂの外側面にはそれぞれ案内凸条２４Ａ，２４Ｂが設けられている、また、腕部材２１Ａ，２１Ｂの連結部２２より下部の基端部側腕部材２１−２Ａ，２１−２Ｂの外側面には後述する回路遮断器のカバーの開口部の内壁に設けられた係合凹所と係合する係合突起２５Ａ，２５Ｂがそれぞれ１対ずつ設けられ、そして、左側の基端部側腕部材２１−２Ａには２つの南京錠を通す鍵穴２６−１、２６−２が設けられ（図１（ｂ）参照）、右側の基端部側腕部材２１−２Ａの前後端面にそれぞれ鉤溝２７−１および２７−２が設けられている（図１（ｃ）、（ｄ）参照）。この鉤溝２７−１，２７−２は、ハンドルをロックさせたときの表示用として表示札の紐などを括るためのものである。さらに基端部側の腕部材２１−２Ａ，２１−２Ｂの下端部には、後述する回路遮断器のカバーの開口部１３の端縁に係合する係合部２８Ａ，２８Ｂが形成されている。
【００２８】
図２は、図１におけるロックカバー２を上下に反転させて背面側から見た状態を示すものであり、（ａ）は、背面図、（ｂ）は斜視図である。
【００２９】
ロックカバー２の正面側には回路遮断器のオン状態にロックしたことを示す「ＯＮ」が表示され（図１（ａ）参照）、背面側には、回路遮断器のオフ状態にロックしたことを示す「ＯＦＦ」が表示されている（図２（ａ）参照）。
【００３０】
図３は、ロックカバー２とともに使用するロックホルダ３の構成を示す斜視図である。ロックホルダ３は、２つの側片３１Ａ、３１Ｂの上端を上片３２で連結して逆Ｕ字形に構成されている。側片の３１Ａ、３１Ｂの前面の下端部を連結片３３により連結して、両側片の下端部が広がるのを抑制している。両側片３１Ａ、３１Ｂには、これを貫通して、ロックカバー２の案内凸条と嵌り合う案内溝３４Ａ、３４Ｂが設けられ、側片３１Ｂには、ロックカバー２に被嵌されたとき、ロックカバー２の基端部側腕部材２１−２Ｂに設けられた鍵穴２６−１，２６−２と対向する位置に鍵穴３６−１，３６−２が設けられている。
【００３１】
図４は、回路遮断器の操作用ハンドルの摘み部が突出するカバー１２の開口部１３を部分的に拡大して示す斜視図である。この図では、摘み部の図示が省略されている。回路遮断器１の図示しない開閉機構を収めたケース１１に被せられたカバー１２に操作用のハンドルの摘み部１８（この図４では不図示）の突出される開口部１３の内側壁面１３Ａ，１３Ｂに前記ロックカバー２に設けられた係合突起２５Ａ，２５Ｂと係合する係合凹所１５Ａ，１５Ｂ（ここでは１５Ｂだけが図示されている）が設けられている。
【００３２】
図１（ｃ）に示されるように、突起２３Ａおよび２３Ｂが複数設けられているのは、開路状態や閉路状態でハンドルの摘み部１８が上下方向のいずれの方向を向いても、その肉ぬすみ部に突起２３Ａおよび２３Ｂが丁度嵌合するようするためである。
【００３３】
次に、このように構成されたロックカバー２およびロックホルダ３を用いて、回路遮断器の操作用のハンドルのロック方法を説明する。
【００３４】
まず、図５ないし図８は、回路遮断器のオン状態でのロック過程を示すものであるので、これについて説明する。
【００３５】
図５に示すように、開閉機構およびこれを開閉操作するハンドル（図示せず）を収めたケース１１に被せられたカバー１２の開口部１３から突出した開閉操作用のハンドルに連繋された摘み部１８は、回路遮断器１のオン状態では上方へ傾動されている。
【００３６】
この位置におかれた摘み部１８にロックカバー２を取り付けるには、図５（ｂ）に示すように、ロックカバー２の正面（ＯＮ表示された面）を表にして、基端部側腕部材２１−２Ａ，２１−２Ｂの下端を指で挟んで、外側から内側へ矢印で示すように押圧する。これにより基端部側腕部材２１−２Ａ，２１−２Ｂが点線で示すように変位し、これに伴ってこの基端部側の腕部材２１−２Ａ，２１−２Ｂと一体となった先端部側腕部材２１−１Ａ，２１−１Ｂが点線で示すように変位し、その先端の間隔が広げられる。
【００３７】
このように間隔が広げられた、先端部側腕部材２１−１Ａ、２１−１Ｂを摘み部１８側へ押し込み、図５（ａ）に点線で示すように両腕部材により回路遮断器１の摘み部１８を外側から挟み込むようにする。挟み込んだところで、基端部側腕部材２１−２Ａ、２１−２Ｂの押圧を解除すれば、摘み部１８の両側から先端部側腕部材２１−１Ａ，２１−１Ｂが元の位置に復帰し、摘み部が先端部側腕部材により挟持され、かつその内側面の突起２３Ａ，２３Ｂが摘み部１８の肉ぬすみ穴１８ａに嵌合され、ロックカバー２を摘み部１８に係合することができる。そしてロックカバー２の基端部側腕部材２１−２Ａ、２１−２Ｂの下端部の係合部を回路遮断器のカバー１２の開口部１３の下端縁に係合することにより、ロックカバー２は、図６（ａ）に示すように、回路遮断器のカバー１２および摘み部１８に取り付けられる。
【００３８】
このように、ロックカバー２を摘み部１８に係合すると、ロックカバー２が、摘み部１８とカバー１２の開口部１３とで支持されるので、この状態で摘み部１８を下方に動かそうとしても、摘み部１８はロックカバー２によってオン位置にしっかりとロックされ、決して傾動することができず、摘み部１８が不用意に傾動されるのを防止することができる。
【００３９】
ロックカバー２を回路遮断器１へ取り付けた状態では、図６（ｂ）に回路遮断器の摘み部１８の部分を拡大して示すように、ロックカバー２の先端部側腕部材の１つの突起２３Ａが摘み部１８の肉ぬすみ穴１８ａに嵌合され、もう１つの突起２３Ａが摘み部１８の上面に接合し、先端部側腕部材２１−１Ａ，２１−１Ｂが、２点で摘み部１８と係合するためロックカバー２と摘み部１８との係合力が高まる。
【００４０】
そして、ロックレバー２は、従来のものより腕部材２１の肉厚を厚くしてその剛性を高くしている。これにより、摘み部１８に係合されたロックカバー２は、その剛性を高められたことにより小さな外力を受けても摘み部１８から外れることがなくなり、不用意に外れる危険を低減できハンドルロックの信頼性を高めることができる。また、ロックカバー２の剛性が高められていても、ロックカバー２がＨ字形に形成されることにより、図５（ｂ）に示すように、基端部側腕部材２１−２Ａ，２１−２Ｂの端部を押圧することにより、簡単に先端部側腕部材２１−１Ａ，２１−１Ｂの端部を反対側に変位させることができるので、ロックカバー２の摘み部１８への装着が容易となる。
【００４１】
この発明によれば、図６（ａ）に示すように、ロックカバー２を摘み部１８に装着しただけでも十分に回路遮断器の操作用のハンドルをロックすることができるが、これだけでは、故意に大きな外力を加えればロックカバー２を外すことができるので、ロックが外れる危険がある。
【００４２】
完全にロックを行う場合には、図７に示すように、摘み部１８に装着したロックカバー２にこの上からロックホルダ３を被嵌し、図８に示す位置まで押し込むようにする。これによりロックカバー２は外側を完全にロックホルダ３により覆われるので、ロックカバー２が外力から保護されるようになり、信頼性がより高まる。さらに信頼性を高める必要がある場合は、図８に示すように、ロックホルダ３の下方の鍵穴３６-２とこれにと対向する位置にあるロックカバー２の鍵穴２６−２とに南京錠６のつる６１を挿通して施錠するようにすればよい。
【００４３】
回路遮断器のオフ状態での操作用のハンドルのロック方法も、図９ないし図１２に示すように、基本的には前記のオン状態でのロック方法と同じである。
【００４４】
回路遮断器１のオフ状態では、ハンドルに連繋された摘み部１８は、図９（ａ）に示すようにカバー１２の開口部１３内で、下方に傾動されている。この摘み部１８にロックカバー２を装着する際は、このロックカバー２の向きを図５に示すオン状態での向きから上下方向に１８０度回転して上下を反転し、図９（ｂ）に示すように「ＯＦＦ」の表示面が表を向くようにする。
【００４５】
オン状態での装着と同様に、ロックカバー２の基端部側腕部材２１−２Ａ，２１−２Ｂの端部を内側へ押圧することにより、下方にある先端部側腕部材２１−１Ａ，２１−１Ｂの先端の間隔を広げて、図９（ａ）に点線矢印で示すように摘み部１８に外側から装着し、押圧を解くことによって、ロックカバー２によって摘み部１８を挟持する。
【００４６】
このようにしてロックカバー２を摘み部１８に装着すると、回路遮断器１に取り付けられたロックカバー２は、図１０に示すように先端部側腕部材２１−１Ａ，２１−１Ｂの内側に設けられた突起２３Ａ、２３Ｂの一つが摘み部１８の肉ぬすみ穴１８ａに嵌合し、摘み部１８に係合される。またロックカバー２の基端部側腕部材２１−２Ａ，２１−２Ｂの先端の係合部が回路遮断器１のカバー１２の開口部１３の端縁に係合されるので、ロックカバー２は摘み部１８にしっかりと結合される。さらに基端部側腕部材２１−２Ａ，２１−２Ｂの外側面に係合突起２５Ａ，２４Ｂを設けている場合は、これが、図４に示したカバー１２の開口部１３の内側壁に設けた係合凹所１５Ａ，１５Ｂと係合し係合力を一層高めることができる。
【００４７】
このように、オフ状態の回路遮断器の摘み部１８にロックカバー２を装着すると、摘み部１８は、このロックカバー２によって上方への傾動操作が阻止され、操作用のハンドルをオフ状態にロックすることができる。
【００４８】
このロックカバー２に不用意に大きな外力が加わっても、これが摘み部１８から外れないようにするために、図１１に示すように、ロックカバー２の外側からロックホルダ３を被嵌することができる。被嵌の方法は、前記したオン状態の場合と同じである。
【００４９】
図１２に示すように、ロックカバー２にロックホルダ３を完全に被嵌したところで、ロックホルダ３の上方の鍵穴３６−１とこれと対向する位置にある図には見えないロックカバー２の鍵穴２６−１とに南京錠５のつる５１を挿通して施錠するようにすると、南京錠を解錠しない限り、ロックホルダ３をロックカバー２から外すことができないので、より操作用のハンドルのロックを完全かつ安全にすることができる。
【図面の簡単な説明】
【００５０】
【図１】この発明に使用するロックカバーの構成を示すもので、（ａ）は正面図、（ｂ）は左側面図、（ｃ）は（ａ）におけるｃ−ｃ線の断面図、（ｄ）は斜視図である。
【図２】図１に示したロックカバーを反転して示すもので、（ａ）は正面図（背面図）、（ｂ）は斜視図である。
【図３】この発明に使用するロックホルダの構成を示す斜視図である。
【図４】この発明を適用する回路遮断器のカバーの開口部を拡大して示す分部斜視図である。
【図５】この発明によるオン状態でのロックカバーの装着方法を説明する図であり、（ａ）はロックカバーを回路遮断器へ装着する前の状態を示す斜視図、（ｂ）はロックカバーの装着方法の説明図である。
【図６】この発明によるオン状態でのロックカバーの装着方法を説明する図であり、（ａ）はロックカバーを回路遮断器へ装着した状態を示す斜視図、（ｂ）はロックカバーの装着部分を拡大して示す断面図である。
【図７】この発明によるオン状態でのロックホルダの装着方法の説明図である。
【図８】この発明によるオン状態でのロックホルダによる施錠状態を示す斜視図である。
【図９】この発明によるオフ状態でのロックカバーの装着方法を説明する図であり、（ａ）はロックカバーを回路遮断器へ装着する前の状態を示す斜視図、（ｂ）はロックカバーの装着方法の説明図である。
【図１０】この発明によるオフ状態でのロックカバーの装着方法を説明する図であり、（ａ）はロックカバーを回路遮断器へ装着した状態を示す斜視図、（ｂ）はロックカバーの装着部分を拡大して示す断面図である。
【図１１】この発明によるオフ状態でのロックホルダの装着方法の説明図である。
【図１２】この発明によるオフ状態でのロックホルダによる施錠状態を示す斜視図である。
【図１３】従来の回路遮断器のハンドルロックに使用するロックカバーの構成を示す図であり、（Ａ）は側面図、（Ｂ）は図１３（Ａ）のＡ矢視図、（Ｃ）は図１３（Ａ）のＢ−Ｂ断面図である。
【図１４】従来のハンドルロックカバーを用いて回路遮断器を閉路状態にロックするときの分解斜視図である。
【図１５】従来のロックカバーにより回路遮断器を閉路状態にロックした状態を示す斜視図である。
【図１６】従来のロックカバーを用いて回路遮断器を開路状態にロックするときの分解斜視図である。
【図１７】従来のロックカバーにより回路遮断器を開路状態にロックした状態を示す斜視図である。
【図１８】従来のロックカバーとロックホルダを用いて回路遮断器を閉路状態にロックするときの過程を示す図であり、（Ａ）は、回路遮断器が閉路状態にロックされる途中の状態を示す斜視図、（Ｂ）は、回路遮断器が閉路状態にロックされた状態を示す斜視図である。
【図１９】従来のロックカバーとロックホルダを用いて回路遮断器が開路状態にロックされる過程を示す図であり、（Ａ）は、回路遮断器が開路状態にロックされる途中の中の状態を示す斜視図、（Ｂ）は、回路遮断器が開路状態にロックされた状態を示す斜視図である。
【符号の説明】
【００５１】
１：回路遮断器、１１：回路遮断器のケース、１２：回路遮断器のカバー、１３：カバーの開口部、１８：開閉操作用のハンドルの摘み部、１８ａ：摘み部の肉ぬすみ穴、
２：ロックカバー、２１Ａ，２１Ｂ：腕部材、２２：連結部材、２１−１Ａ，２１−１Ｂ：先端部側腕部材、２１−２Ａ，２１−２Ｂ：基端部側腕部材、２３Ａ，２３Ｂ：突起、２４Ａ，２４Ｂ：案内凸条、２５Ａ，２５Ｂ：係合突起、２６−１，２６−２：鍵穴、
３：ロックホルダ、３４Ａ，３４Ｂ：案内溝、３６−１，３６−２：鍵穴。
【図１】
2009301993.tif 000003
【図２】
2009301993.tif 000004
【図３】
2009301993.tif 000005
【図４】
2009301993.tif 000006
【図５】
2009301993.tif 000007
【図６】
2009301993.tif 000008
【図７】
2009301993.tif 000009
【図８】
2009301993.tif 000010
【図９】
2009301993.tif 000011
【図１０】
2009301993.tif 000012
【図１１】
2009301993.tif 000013
【図１２】
2009301993.tif 000014
【図１３】
2009301993.tif 000015
【図１４】
2009301993.tif 000016
【図１５】
2009301993.tif 000017
【図１６】
2009301993.tif 000018
【図１７】
2009301993.tif 000019
【図１８】
2009301993.tif 000020
【図１９】
2009301993.tif 000021